(57)【要約】【課題】映像再生時の決定的瞬間での撮像を制御する。【解決手段】放送局１では、入力された映像信号の所望の垂直ブランキング期間に、撮像制御信号を重畳し、テレビ放送信号として送出する。チューナ１６には、放送局１から受信したテレビ放送信号が入力される。チューナ１６の出力は分離部１８に送られる。分離部１８は、チューナ１６から送られてくるテレビ放送信号から映像信号とデータ信号を分離する。映像信号は映像処理回路２０に送られ、データ信号は撮像制御信号抽出部２４に送られる。撮像制御信号抽出部２４は、データ信号から撮像制御信号を抽出する。抽出した撮像制御信号は通信インターフェイス２９を介してデジタルカメラ２００に送信される。デジタルカメラ２００は受信した撮像制御信号に従って撮像を制御する。【選択図】  図１
2006166210.tif 000002
【特許請求の範囲】
【請求項１】
特定の映像の描画タイミングに同期して重畳された撮像制御信号を前記映像の映像信号から抽出する抽出部と、
前記映像信号に従って映像を表示する表示部と、
被写体を撮像する撮像部と、前記抽出された撮像制御信号に従って前記撮像部による被写体の撮像を制御する制御部とを有する撮像装置と、
を備える撮像システム。
【請求項２】
前記撮像制御信号は前記特定の映像の描画フレームを構成する２つのフィールド間の垂直ブランキング期間に重畳される請求項１に記載の撮像システム。
【請求項３】
前記抽出部は前記映像信号から付加情報を抽出し、
前記撮像装置は撮像した画像とともに前記付加情報を記録する請求項１又は２に記載の撮像システム。
【請求項４】
前記撮像制御信号は静止画の撮像開始、動画の撮像開始又は動画の撮像終了を制御する信号を含む請求項１〜３のいずれかに記載の撮像システム。
【請求項５】
特定の映像の描画タイミングに同期して重畳された撮像制御信号を前記映像の映像信号から抽出するステップと、
前記映像信号に従って映像を表示するステップと、
前記抽出された撮像制御信号に従って被写体の撮像を制御するステップと、
を含む撮像方法。
【請求項６】
特定の映像の描画タイミングに同期して撮像制御信号の重畳された前記映像の映像信号を記録した記録媒体。
【発明の詳細な説明】
【技術分野】
【０００１】
本発明は撮像システムに係り、特に映像の再生に連動して撮像を制御する撮像システムに関する。
【背景技術】
【０００２】
従来、テレビ放送信号から所望の情報を得させる技術が開発されている。例えば特許文献１によると、放送事業者は、自局の放送する番組と関連のある情報について、コンテンツサーバに多彩な情報を通信コンテンツとして提供し蓄積させておく。視聴者は、ホームサーバに付属したリモコンを操作することで、ホームサーバに蓄積されている放送番組を選択しこれを再生視聴する。視聴者はまた、放送番組の再生視聴中に、番組の再生を一時停止させて、コンテンツサーバを介して提供される各種の情報にアクセスできる。そして、コンテンツサーバから得られたデータを閲覧した後には、前回番組を一時停止した場所から再び番組の再生を開始して番組の残りの部分を視聴できる。
【特許文献１】特開２００２−１４２２０８号公報
【発明の開示】
【発明が解決しようとする課題】
【０００３】
ところで、オリンピックなどの娯楽性の高い番組を視聴している際に、決定的瞬間が放映されると、視聴者はそれに反応して表情や動作に表すことがある。このような決定的場面で撮影を行うには、カメラマンが視聴者にカメラを向けて待機し、決定的瞬間の到来に応じてシャッターボタンを押して撮像を開始するしかなかった。本発明はこのような問題点に鑑みてなされたもので、映像再生時の決定的瞬間での撮像を制御することを目的とする。
【課題を解決するための手段】
【０００４】
上述の課題を解決するため、本願発明に係る撮像システムは、特定の映像の描画タイミングに同期して重畳された撮像制御信号を前記映像の映像信号から抽出する抽出部と、前記映像信号に従って映像を表示する表示部と、被写体を撮像する撮像部と、前記抽出された撮像制御信号に従って前記撮像部による被写体の撮像を制御する制御部とを有する撮像装置と、を備える。
【０００５】
この発明によると、特定の映像が表示されるタイミングで撮像を制御できる。このため、オリンピックなど娯楽性の高い番組映像を視聴している際、決定的な瞬間が表示されたときの視聴者の表情・態度・反応を自動的に記録できる。なお、撮像制御信号は静止画の撮像開始、動画の撮像開始又は動画の撮像終了を制御する信号を含む。
【０００６】
特定の映像の描画の開始タイミングと撮像制御のタイミングを同期させるため、撮像制御信号は特定の映像の描画フレームを構成する２つのフィールド間の垂直ブランキング期間に重畳される。
【０００７】
抽出部は映像信号から付加情報を抽出し、撮像装置は撮像した画像とともに付加情報を記録するようにしてもよい。
【０００８】
本発明に係る撮像方法は、特定の映像の描画タイミングに同期して重畳された撮像制御信号を前記映像の映像信号から抽出するステップと、映像信号に従って映像を表示するステップと、抽出された撮像制御信号に従って被写体の撮像を制御するステップとを含む。
【０００９】
特定の映像の描画タイミングに同期して撮像制御信号の重畳された前記映像の映像信号を記録した記録媒体を提供することも可能である。
【発明の効果】
【００１０】
この発明によると、特定の映像が表示されるタイミングで撮像を制御できる。このため、娯楽性の高い番組映像やオリンピックなどを視聴している際、決定的な瞬間が表示されたときの視聴者の表情・態度・反応を自動的に記録できる。
【発明を実施するための最良の形態】
【００１１】
以下、添付した図面を参照し本発明の好ましい実施の形態を説明する。
【００１２】
＜第１実施形態＞
図１は、本発明の好ましい第１の実施形態に係る撮像システムの概略構成を示した図である。第１実施形態の撮像システムは、テレビ放送受信装置１００とデジタルカメラ２００とモニタ２２とを備える。テレビ放送受信装置１００は、アンテナ１４、チューナ１６、分離部１８、映像処理回路２０、撮像制御信号抽出部２４、ＲＯＭ２５、表示制御部２８、通信インターフェイス２９を備えている。デジタルカメラ２００は、モニタ２２を視覚する者（視聴者）を被写体として撮像できるような位置に置かれている。
【００１３】
テレビ放送受信装置１００とデジタルカメラ２００とは、ＵＳＢ（Universal Serial Bus）、ＬＡＮ、Bluetoothなどの各種通信インターフェイス２９を介して互いに接続されており、互いに所望のデータを送受信できる。
【００１４】
アンテナ１４は、番組映像信号を含んだテレビ放送信号を放送局１から受信する。放送局１は、テレビ放送信号により、映像信号（あるいは音声を含んだ映像音声信号）を送信するとともに、データ放送としてデジタルデータ信号（以下単にデータ信号という）を送信する。
【００１５】
映像信号により送出されるテレビ映像は、インターレース（飛び越し走査）といって、最初に１行おきに走査して粗い画面を描き、次の２６２．５回でその間を埋める画面を描く。２回の走査で描かれる画面をフレームといい、１フレームを構成する２つの粗い画面をフィールドという。放送局１は、１秒間あたり３０フレーム（６０フィールド）の静止画を送ることで動画を送る。
【００１６】
モニタ２２には、５２５本の走査線が用意されているが、この５２５本分すべてが画面表示に使われているわけではなく、各フィールドの最初の２１本相当のタイミングに、インターバル期間（垂直ブランキング期間）が割り当てられている。１つの垂直ブランキング期間は、デジタルデータにして毎秒１０ＫＢの容量がある。この垂直ブランキング期間に、字幕情報など各種のデジタルデータ信号を重畳することで、映像信号とともにデータ信号を送ることが可能となる。垂直ブランキング期間には、画面を描き始めるタイミングを同期させるための信号（垂直同期信号）なども含まれている。
【００１７】
放送局１では、テレビカメラなどから得られた映像信号を映像信号入力部３から重畳部４に入力する一方、データ信号入力部２がパソコンなどからデータ信号を重畳部４に入力する。重畳部４は、入力された映像信号の所望の垂直ブランキング期間に、撮像制御信号を重畳する。撮像制御信号には、後述するＡＥ・ＡＦ処理開始信号、撮像開始信号、録画開始信号、録画終了信号が含まれるが、カメラ２００の撮像に関連する制御信号であればこれらに限定されない。
【００１８】
撮像開始信号は、デジタルカメラ２００の静止画撮影開始を指示する信号であるが、本実施形態の撮像システムは、特定の映像画面が描かれるタイミングでデジタルカメラ２００の撮像を開始・終了させることを目的とする。このため、特定の映像画面の描画開始タイミングと撮像開始のタイミングを同期させる必要がある。この同期をとるために、特定の１フレームを構成する２つのフィールドの間の垂直ブランキング期間に、撮像制御信号を重畳する。こうすると、特定の映像画面の描画開始タイミングに同期した撮像開始信号が送られるため、その映像画面を視聴する者の表情の変化などをその映像画面の描画に連動して撮影できる。撮像制御信号を重畳すべきフレーム（ないしそのフレームを構成するフィールド）は、重畳部４から任意に指定可能であり、重畳部４は、指定された所望のフレームを構成するフィールド間に撮像制御信号を重畳する。こうすることで、デジタルカメラ２００の撮像制御のタイミングを放送局１側から任意にリモートで指定できる。
【００１９】
録画開始信号はデジタルカメラ２００で動画撮影の開始を指示する信号であり、録画終了信号はデジタルカメラ２００の動画撮影の終了を指示する信号であるが、録画開始信号、録画終了信号その他の撮像制御信号をどのフィールド間に挿入するかも重畳部４から任意に指定可能である。このため、放送局１の係員が任意のフレームの描画タイミングに合わせたタイミングでの撮像開始指示、録画開始指示、録画終了指示をリモートで行える。
【００２０】
なお、データ信号として、テレビ番組内容の説明など映像に関連する情報を含んだ番組関連情報、文字テロップ情報、画像、ＨＴＭＬデータへのリンク情報など撮像制御信号以外の各種の付加情報を、データ信号として垂直ブランキング期間に重畳してもよい。
【００２１】
放送局１の送信部５は、映像信号とデータ信号を重畳したテレビ放送信号を無線送出する。チューナ１６には、放送局１からアンテナ１４が受信したテレビ放送信号が入力される。チューナ１６では、周波数変換や、アナログ信号をデジタル復調するなどの処理が行なわれる。チューナ１６の出力は分離部１８に送られる。分離部１８は、チューナ１６から送られてくるテレビ放送信号から映像信号とデータ信号を分離する。映像信号は映像処理回路２０に送られる。映像信号は任意の映像を内容とする。一方、データ信号は撮像制御信号抽出部２４に送られる。撮像制御信号抽出部２４は、データ信号から撮像制御信号と付加情報を分離して抽出する。
【００２２】
映像処理回路２０に送られた映像信号は、所定の信号方式に従ったビデオ信号、例えばＮＴＳＣ（Ｎａｔｉｏｎａｌ Ｔｅｌｅｖｉｓｉｏｎ Ｓｙｓｔｅｍ Ｃｏｍｍｉｔｔｅｅ）方式のビデオ信号に符号化されてモニタ２２に出力される。モニタ２２は、このビデオ信号に従って映像を表示する。
【００２３】
表示制御部２８は、リモコン３０から送出されたチャンネル選局信号によってチューナ１６を制御し、特定のチャンネルのテレビ放送信号を選局して受信する。表示制御部２８は、テレビ放送受信装置１００の各部の動作（例えば、文字テロップ表示のオン／オフや音声ボリュームの変更）を制御する。
【００２４】
撮像制御信号抽出部２４は、データ信号から撮像制御信号を抽出し、抽出した撮像制御信号を通信インターフェイス２９経由でデジタルカメラ２００に送信する。撮像制御信号抽出部２４が付加情報を分離した場合、付加情報も通信インターフェイス２９経由でデジタルカメラ２００に送信する。
【００２５】
図２はデジタルカメラ２００の機能ブロック図である。同図において、中央処理装置（ＣＰＵ）１１２は、シャッタボタン１０２、モード切替えレバー１０６等の各種のボタンや、十字キー、メニュー／実行ボタン、キャンセル／戻るボタン、表示ボタン、シフトボタン、表示切換ボタン、拡大表示ボタン、並びにＡＥロックの指示を入力するＡＥ固定ボタン、モードダイヤル等からなる操作部１５７からの入力に基づいてデジタルカメラ２００内の各回路を統括制御する。
【００２６】
カメラ２００は、テレビ放送受信装置１００と各種データの送受信、特に撮像制御信号や付加情報を受信する通信部１５６を備えている。
【００２７】
いま、モード切替えレバー１０６によって撮影モードが設定されると、ＣＰＵ１１２は、動画（スルー画）を画像表示装置１１０に表示させ、撮影画角を確認可能にする。即ち、絞り１１６及び撮影レンズ１１８を通過した被写体光は、撮像素子（ＣＣＤ）１２０の受光面上に結像する。ＣＣＤ１２０は、受光面に結像された被写体光をその光量に応じた量の信号電荷に変換する。このようにして蓄積された信号電荷は、ＣＰＵ１１２の指令に従いタイミングジェネレータ１２１から与えられる駆動パルスに基づいて信号電荷に応じた電圧信号（画像信号）として順次読み出される。
【００２８】
ＣＣＤ１２０から出力された信号はアナログ処理部（ＣＤＳ／ＡＭＰ）１２２に送られ、ここで画素ごとのＲ，Ｇ，Ｂ信号がサンプリングホールド（相関二重サンプリング処理）され、増幅された後、Ａ／Ｄ変換器１２４に加えられる。Ａ／Ｄ変換器１２４によってデジタル信号に変換された点順次のＲ，Ｇ，Ｂ信号は、画像入力コントローラ１２６を介してメモリ（ＳＤＲＡＭ）１２８に記憶される。尚、メモリ１２８は、画像データの一時記憶領域として利用されるとともに、プログラムの展開領域及びＣＰＵ１１２の演算作業用領域として利用される。
【００２９】
画像信号処理回路１３０は、メモリ１２８に記憶されたＲ，Ｇ，Ｂ信号をＣＰＵ１１２の指令に従って処理する。即ち、画像信号処理回路１３０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１１２からのコマンドに従ってメモリ１２８を活用しながら所定の信号処理を行う。
【００３０】
画像信号処理回路１３０に入力されたＲ、Ｇ、Ｂ信号は、輝度信号（Ｙ信号）及び色差信号（Ｃr,Ｃb 信号）に変換されるとともに、ガンマ補正等の所定の処理が施される。画像信号処理回路１３０で処理されたＹＣ信号はＶＲＡＭ１３２に格納される。
【００３１】
撮影画像を画像表示装置１１０にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換して画像表示装置１１０に出力する。
【００３２】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が画像表示装置１１０に供給されることにより、撮像中の映像がリアルタイムに画像表示装置１１０に表示される。ユーザは、画像表示装置１１０に表示される映像（スルー）によって撮影画角を確認できる。
【００３３】
ここで、シャッタボタン１０２が半押しされるか、あるいは通信部１５６を介してＡＥ・ＡＦ処理開始信号を受信すると、ＡＥ及びＡＦ処理が開始される。即ち、ＣＣＤ１２０から出力された画像信号はＡ／Ｄ変換後に画像入力コントローラ１２６を介してＡＦ検出回路１３６並びにＡＥ／ＡＷＢ検出回路１３８に入力される。
【００３４】
ＡＥ／ＡＷＢ検出回路１３８は、１画面を複数のエリア（例えば、１６×１６）に分割し、分割エリアごとにＲＧＢ信号を積算する回路を含み、その積算値をＣＰＵ１１２に提供する。ＣＰＵ１１２は、ＡＥ／ＡＷＢ検出回路１３８から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１１２はタイミングジェネレータ１２１を介してＣＣＤ１２０の電子シャッタを制御するとともに、モータドライバ１４０を介して絞り１１６を制御して適正な露光量を得る。
【００３５】
また、ＡＥ／ＡＷＢ検出回路１３８は、自動ホワイトバランス調整時には、分割エリアごとにＲＧＢ信号の色別の平均積算値を算出し、その算出結果をＣＰＵ１１２に提供する。ＣＰＵ１１２は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００３６】
また、ＡＦ制御は、例えば画像信号のＧ信号の高周波成分が極大になるように撮影レンズ１１８を移動させるコントラストＡＦが適用される。即ち、ＡＦ検出回路１３６は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００３７】
ＡＦ検出回路１３６で求めた積算値のデータはＣＰＵ１１２に通知される。ＣＰＵ１１２は、モータドライバ１４２を制御して撮影レンズ１１８を移動させながら、複数のＡＦ検出ポイントで焦点評価値（ＡＦ評価値）を演算し、評価値が極大となるレンズ位置を合焦位置として決定する。そして、求めた合焦位置に撮影レンズ１１８を移動させるようにモータドライバ１４２を制御する。尚、ＡＦ評価値の演算はＧ信号を利用する態様に限らず、輝度信号（Ｙ信号）を利用してもよい。
【００３８】
上記ＡＥ／ＡＦ処理が行われ、シャッタボタン１０２が全押しされるか、あるいは通信部１５６を介して撮像開始信号を受信すると、記録用の撮影動作がスタートする。Ｓ２オン又は撮像開始信号の受信に応動して取得された画像データは画像信号処理回路１３０において輝度／色差信号（Ｙ／Ｃ信号）に変換され、ガンマ補正等の所定の処理が施された後、メモリ１２８に格納される。
【００３９】
メモリ１２８に格納されたＹ／Ｃ信号は、圧縮伸長処理回路１４４によって所定のフォーマットに従って圧縮された後、メディアコントローラ１４６を介して記憶媒体４０にExif（Exchangeable Image File Format）ファイルとして記録される。画像はExifファイルのデータ部分に記録される。カメラ２００にはパノラマスイッチ１０３が設けられており、シャッタボタン１０２の全押し又は撮像開始信号の受信待機中に通常撮影モードとパノラマ撮影モードとを切り替えて撮影を行なうことができる。パノラマ撮影モードがオンのときにシャッタボタン１０２が全押しされるか又は撮像開始信号を受信すると、フルサイズの撮影画面の上下の所定部分を遮光してパノラマサイズにして画像を記録する。画像ファイルのヘッダ部分には、通信部１５６を介して受信した付加情報（テレビ番組名など）をタグ情報として記録してもよい。
【００４０】
操作部１５７のモードダイヤルによって動画記録モードが設定されたときには、シャッタボタン１０２の押下あるいは録画開始信号の受信によって録画動作がスタートし、もう一度シャッタボタン１０２を押下するかあるいは録画終了信号の受信によって録画動作が停止する。シャッタボタン１０２を押下継続している期間、録画動作を行い、押下解除によって録画を停止するようにしてもよい。動画データは、例えばモーションＪＰＥＧ形式によって記憶媒体４０に記録される。
【００４１】
モード切替えレバー１０６により再生モードが選択されると、記憶媒体４０に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のカラー複合映像信号を作成し、これを画像表示装置１１０に出力する。これにより、画像表示装置１１０には記憶媒体４０に記録されている最終コマのコマ画像が表示される。
【００４２】
その後、順コマ送りスイッチ（図示せず）が押されると、順方向にコマ送りされ、逆コマ送りスイッチ（図示せず）が押されると、逆方向にコマ送りされる。そして、コマ送りされたコマ位置の画像ファイルが記憶媒体４０から読み出され、上記と同様にしてコマ画像が画像表示装置１１０に再生される。尚、最終コマのコマ画像が表示されている状態で順方向にコマ送りされると、記憶媒体４０に記録されている１コマ目の画像ファイルが読み出され、１コマ目のコマ画像が画像表示装置１１０に再生される。再生すべき画像ファイルが動画ファイルの場合、動画が画像表示装置１１０に連続的に再生される。画像ファイルの再生とともに、画像ファイルのヘッダ部分に記録された付加情報（文字テロップ情報など）を再生してもよい。
【００４３】
なお、カメラ２００は、テレビ放送受信装置１００に内蔵してもよい。また、カメラ２００は、いわゆるカメラ付き携帯電話機の内蔵カメラであってもよい。
【００４４】
以上説明した通り、本発明の撮像システムでは、映像信号に撮像制御信号が重畳されており、特定の映像画面がモニタ２２に描かれるタイミングでデジタルカメラ２００の撮像を開始・終了させる。このため、オリンピックなど娯楽性の高い番組映像を視聴している際、決定的な瞬間における視聴者の表情・態度・反応を自動的に記録できる。
【００４５】
＜第２実施形態＞
図３は、本発明の好ましい第２の実施形態に係る撮像システムの概略構成を示した図である。第２実施形態の撮像システムは、画像再生装置３００とデジタルカメラ２００とモニタ２２とを備える。ＤＶＤ、ハードディスク、ＶＴＲ等の映像記録媒体３０１に記録されている映像信号は、光ピックアップ装置などの映像信号読取部３０２によって光学的・磁気的な方法その他映像記録媒体３０１の記録方式に対応する形式で読み取られる。映像記録媒体３０１に記録されている映像信号には、第１実施形態と同様、データ信号が重畳されており、特に、特定のフレームを構成する２つのフィールドの間の垂直ブランキング期間に撮像制御信号が重畳されている。
【００４６】
映像信号読取部３０２によって読み取られた映像信号は、ＡＤ（アナログ−デジタル）変換回路３０３に送られて増幅され、基準クロックに基づいて同期検出されて、アナログ信号からデジタル信号に変換される。デジタル信号に変換された映像信号は、復調／誤り訂正回路３０４に送られて復調され、読み取られた映像信号のデータの誤りが訂正される。分離部３０５は、復調／誤り訂正回路によって誤り訂正された映像信号から、データ信号を分離し、撮像制御信号抽出部３０７に入力する。撮像制御信号抽出部３０７は、データ信号から撮像制御信号を抽出し、抽出した撮像制御信号を通信インターフェイス３０８経由でデジタルカメラ２００に送信する。その他、映像処理回路３０６、表示制御部３０９、通信インターフェイス３０８の機能は、それぞれ第１実施形態の映像処理回路２０、表示制御部２８、通信インターフェイス２９と同様であるので説明を省略する。
【００４７】
本実施形態のように、撮像制御信号を重畳した映像信号を映像記録媒体３０１に予め記録しておき、これを画像再生装置３００で再生する場合でも、特定の映像画面がモニタ２２に描かれるタイミングでデジタルカメラ２００の撮像を制御させることが可能である。
【図面の簡単な説明】
【００４８】
【図１】第１実施形態に係る撮像システムの概略構成図
【図２】デジタルカメラのブロック図
【図３】第２実施形態に係る撮像システムの概略構成図
【符号の説明】
【００４９】
１００：テレビ放送受信装置、２００：デジタルカメラ、３００：画像再生装置
【図１】
2006166210.tif 000003
【図２】
2006166210.tif 000004
【図３】
2006166210.tif 000005